(57)【要約】【課題】本発明は防犯ブザー装置の警報音が鳴ると、周辺に点在する他の防犯ブザー装置が自らも続けて、新たに警報音を発することで、遠方の人々まで警報音を届かせる事が出来る防犯ブザー装置の提供を目的とする。【解決手段】上記目的を達成するために本発明の防犯ブザー装置は、周辺の音を集め増幅する集音手段と所定の周波数成分に一致する警報音を検出する音響解析手段と、警報音を発する音響出力手段と、前記音響出力手段の動作の断続を制御する発信制御処理手段を有して、前記集音手段で集められた周辺の音の中から、前記音響解析手段で所望の警報音を検出すると、続いて前記発信制御処理手段の制御によって、前記音響出力手段から、新たに警報音を発することを特徴としている。【選択図】図２
2007207212.tif 000002
【特許請求の範囲】
【請求項１】
周辺の音を集め増幅する集音手段と、予め定められた周波数成分に一致する警報音を検出する音響解析手段と、警報音を発する音響出力手段と、前記音響出力手段の動作の断続を制御する発信制御処理手段を有して、前記集音手段で集められた周辺の音の中から前記音響解析手段で所望の警報音を検出すると、続いて前記発信制御処理手段の制御によって前記音響出力手段から新たに警報音を発することを特徴とする防犯ブザー装置。
【請求項２】
前記発信制御処理手段は、前記音響出力手段から発する警報音を断続の連なった音に制御することを特徴とする請求項１記載の防犯ブザー装置。
【請求項３】
前記発信制御処理手段は、前記音響解析手段で検出された警報音の断続の周期時間を基に、さらに時間を付加した新たな周期時間による断続の制御を前記音響出力手段にすることで新たなる警報音を発することを特徴とする請求項１記載の防犯ブザー装置。
【請求項４】
前記発信制御処理手段は、警報音の断続の周期時間が予め定められた周期時間を超えると、前記音響出力手段に警報音を発することの制御をしないことを特徴とする請求項１記載の防犯ブザー装置。
【請求項５】
前記発信制御処理手段は、警報音の断続の連なる順番を並び組み変えることの制御によりデータ情報を符号化して前記音響出力手段から警報音の一部として発信することを特徴とする請求項１記載の防犯ブザー装置。
【請求項６】
警報音を発することの制御する警報スイッチ手段をさらに有する請求項１記載の防犯ブザー装置。
【発明の詳細な説明】
【技術分野】
【０００１】本発明は、緊急事態を通報する防犯ブザー装置に関するものである。
【背景技術】
【０００２】人が犯罪行為などの緊急事態に遭遇したことを周辺の人々に知らせる手段として大音量の警報音を発する防犯ブザーなどが広く使用されている。
【発明の開示】
【発明が解決しようとする課題】
【０００３】警報音を聴き緊急事態の発生を認識できる人々は、警報音が届く範囲内で聴き得ることが可能な人々だけであり、更に遠方に至る広範囲の人々には警報音が小さくなって届き聴き得ることが困難となる。【０００４】そこで本発明は、ある防犯ブザー装置で鳴った警報音を、その周辺に点在する他の防犯ブザー装置が警報音を検出すると、自らも続けて新たに警報音を発する。同様に複数の防犯ブザー装置を介在しながら、次々と警報音が伝達され遠方に至る広範囲の人々まで警報音を届かせる防犯ブザー装置の提供を目的とする。
【課題を解決するための手段】
【０００５】上記目的を達成するために本発明の防犯ブザー装置は、周辺の音を集め増幅する集音手段と、予め定められた周波数成分に一致する警報音を検出する音響解析手段と、警報音を発する音響出力手段と、前記音響出力手段の動作の断続を制御する発信制御処理手段を有して、前記集音手段で集められた周辺の音の中から前記音響解析手段で所望の警報音を検出すると、続いて前記発信制御処理手段の制御によって前記音響出力手段から新たに警報音を発することを特徴としている。【０００６】前記発信制御処理手段は、前記音響出力手段から発する警報音を断続の連なった音に制御することを特徴としている。【０００７】前記発信制御処理手段は、前記音響解析手段で検出された警報音の断続の周期時間を基に、さらに時間を付加した新たな周期時間による断続の制御を前記音響出力手段にすることで新たなる警報音を発することを特徴としている。【０００８】前記発信制御処理手段は、警報音の断続の周期時間が予め定められた周期時間を超えると、前記音響出力手段に警報音を発することの制御をしないことを特徴としている。【０００９】前記発信制御処理手段は、警報音の断続の連なる順番を並び組み変えることの制御によりデータ情報を符号化して前記音響出力手段から警報音の一部として発信することを特徴としている。【００１０】警報音を発することの制御する警報スイッチ手段をさらに有している。
【発明の効果】
【００１１】本発明によって、ある一つの防犯ブザー装置の警報音が鳴りだすと、その周辺に点在する複数の防犯ブザー装置も一斉に鳴り出させることで、遠方の広範囲の多くの人々までにも緊急事態の発生を通報することができる。【００１２】また本発明によって最初に鳴らした防犯ブザー装置の警報音と、続けて鳴らされた防犯ブザー装置の警報音と、更に続けて次々と鳴らされる防犯ブザー装置の警報音を違えることで、途中または遠方で警報音を聴いた人でも緊急事態の発生現場に辿り着ける。
【発明を実施するための最良の形態】
【００１３】本発明の防犯ブザー装置を、図面を基に説明する。図１は実施例における装置構成の概要を示すブロック図である。集音手段１００のマイク１２０で周辺の音を集めてアナログな電気信号へと変換し、さらに音増幅部１１０にて増幅する。【００１４】音響解析手段２００は、集音手段１００が集めた周辺の音の中から希望とする警報音を検出させるために、音のアナログ電気信号を帯域通過形フィルタ２１０に通すことにより希望とする警報音が検出できる。検出されたことを示す検出信号として発信制御処理手段３００へと送る。【００１５】発信制御処理手段３００は、ＣＰＵ３１０にて検出信号を基に、警報音の断続周期の時間を計る。断続周期時間が予め定められた時間を超えていなければ、その断続周期時間に所定の時間を付加した新たな断続周期時間を作る。この新たな断続周期時間を基にして断続の連なる警報音を鳴らすための制御を行う。【００１６】音響出手段４００は大音量を発するブザー４１０である。このブザー４１０を鳴らす動作は発信制御処理手段３００からの制御により、断続の連なる警報音を発する。【００１７】音響解析手段２００の帯域通過形フィルタ２１０は、音のアナログ電気信号のままで処理するフィルタ方法と、Ａ／Ｄコンバータを用いてアナログ信号をデジタル信号に変換してＣＰＵによるフィルタ演算処理にて検出する方法もある。この場合に発信制御処理手段３００のＣＰＵ３１０で、フィルタ演算処理も行わせて一括処理もできる。【００１８】警報スイッチ手段５００のオン・オフスイッチは、警報音を直ちに鳴らすこと、又は止めることの指示を、人から受け付ける手段である。オン・オフスイッチの操作状態を発信制御処理手段３００で把握し処理されて、音響出手段４００より警報音を発すること、止めることが行われる。【００１９】図２は、実施例における警報音の伝達の概要を示す図である。緊急事態の発生でオン・オフスイッチの操作を行うことで防犯ブザー装置（Ａ）からは、最短の断続周期時間による断続の警報音を発する。他の防犯ブザー装置が警報音を検出すると発信制御処理手段３００の処理によって検出された警報音より、更に断続周期時間の長い警報音を発する。【００２０】この新たに鳴らした警報音を検出した防犯ブザー装置は、更に断続周期時間の長い警報音を発する。このように次々と警報音が広範囲に伝達されて行く。ただし、この伝達が無制限に行われることを防ぐために発信制御処理手段３００は、予め定められた断続周期時間を超えたなら警報音を鳴らさない。【００２１】図３は、実施例におけるデータ情報の送出の概要を示す図である。発信制御処理手段３００は、警報音の断続の制御を行うことができるので、その断続の連なる順番を並び変えることによりデータ情報を符号化し警報音の一部として鳴らして発信することができる。【００２２】例えばデータ情報の符号化を無線通信におけるモールス信号の符号に変換し、警報音と共に付加挿入して送出する。また符号の復調処理するには機器が必要であるが、少なくともモールス符号を理解している人であれば、警報音に含まれているモールス符号を聴くことで直にデータ情報が把握できる。
【図面の簡単な説明】
【００２３】
【図１】は実施形態による防犯ブザー装置の構成を示すブロック図である。
【図２】は実施形態による防犯ブザー装置の警報音を説明する図である。
【図３】は実施形態による防犯ブザー装置のデータ符号化例を説明する図である。
【符号の説明】
【００２４】１００  集音手段
２００  音響解析手段
３００  発信制御処理手段
４００  音響出力手段
５００  警報スイッチ手段
【図１】
2007207212.tif 000003
【図２】
2007207212.tif 000004
【図３】
2007207212.tif 000005